(57)【特許請求の範囲】
【請求項１】
入力映像信号の動きベクトルを検出する動きベクトル検出手段と、
前記動きベクトル検出手段により検出された動きベクトルから、画面全体の一定方向への動きを示す全画面移動を検出する全画面移動検出手段と、
前記入力映像信号の現フィールド信号および前記現フィールド信号を２フィールド遅延させた２フィールド遅延信号の差分値に基づき、前記入力映像信号について動きの大きさに対応した動静判定を行う動静判定手段と、
前記全画面移動検出手段により前記全画面移動が検出されたときに、前記動静判定手段の判定結果を動判定よりに補正する動判定補正手段と、
前記動きベクトル検出手段と前記全画面移動検出手段の検出結果を用いて、前記現フィールド信号を１フィールド遅延させた１フィールド遅延信号に対する動き補償を行い、前記１フィールド遅延信号に補間される第１の補間信号を生成する第１の補間信号生成手段と、
前記現フィールド信号または前記２フィールド遅延信号から前記１フィールド遅延信号に補間される第２の補間信号を生成する第２の補間信号生成手段と、
前記動判定補正手段により補正された前記動静判定手段の判定結果に応じて前記第１の補間信号および前記第２の補間信号を混合して混合補間信号を生成する補間信号混合手段とを有する順次走査変換装置。 
【請求項２】
フィールド内補間により前記１フィールド遅延信号に補間される第３の補間信号を生成する第３の補間信号生成手段と、
前記第１の補間信号と前記第３の補間信号とを混合して動画系補間信号を生成する動画系補間信号混合手段とを更に有し、
前記補間信号混合手段は、前記第１の補間信号の代わりに前記動画系補間信号を前記第２の補間信号と混合する請求項１記載の順次走査変換装置。 
【請求項３】
前記動きベクトルの信頼度を判定する信頼度判定手段と、
前記全画面移動検出手段により前記全画面移動が検出されたときに、前記信頼度判定手段の判定結果を前記信頼度が高くなるように補正する信頼度補正手段とを更に有し、
前記動画系補間信号混合手段は、前記信頼度補正手段により補正された前記信頼度判定手段の判定結果に応じて前記第１の補間信号と前記第３の補間信号とを混合する請求項２記載の順次走査変換装置。
【請求項４】
前記混合補間信号と、前記１フィールド信号を用いて順次走査変換信号を出力する順次走査変換信号出力手段と、
前記順次走査変換信号を用いて表示手段に映像を表示させる表示制御手段とを更に有する請求項１〜３のいずれか一項記載の順次走査変換装置。 
【請求項５】
入力映像信号の動きベクトルを検出する動きベクトル検出を行い、
前記動きベクトル検出により検出された動きベクトルから、画面全体の一定方向への動きを示す全画面移動を検出する全画面移動検出を行い、
前記入力映像信号の現フィールド信号および前記現フィールド信号を２フィールド遅延させた２フィールド遅延信号の差分値に基づき、前記入力映像信号について動きの大きさに対応した動静判定を行い、
前記全画面移動検出により前記全画面移動が検出されたときに、前記動静判定の判定結果を動判定よりに補正する動判定補正を行い、
前記動きベクトル検出の検出結果と前記全画面移動検出の検出結果を用いて、前記現フィールド信号を１フィールド遅延させた１フィールド遅延信号に対する動き補償を行い、前記１フィールド遅延信号に補間される第１の補間信号を生成し、
前記現フィールド信号または前記２フィールド遅延信号から前記１フィールド遅延信号に補間される第２の補間信号を生成し、
前記動判定補正により補正された前記動静判定の判定結果に応じて前記第１の補間信号および前記第２の補間信号を混合して混合補間信号を生成する順次走査変換方法。 
【請求項６】
順次走査変換信号を出力する順次走査変換手段と、該順次走査変換手段から出力される順次走査変換信号を用いて映像を表示する映像表示手段とを有する映像表示装置であって、
前記順次走査変換手段は、入力映像信号の動きベクトルを検出する動きベクトル検出手段と、
前記動きベクトル検出手段により検出された動きベクトルから、画面全体の一定方向への動きを示す全画面移動を検出する全画面移動検出手段と、
前記入力映像信号の現フィールド信号および前記現フィールド信号を２フィールド遅延させた２フィールド遅延信号の差分値に基づき、前記入力映像信号について動きの大きさに対応した動静判定を行う動静判定手段と、
前記全画面移動検出手段により前記全画面移動が検出されたときに、前記動静判定手段の判定結果を動判定よりに補正する動判定補正手段と、
前記動きベクトル検出手段と前記全画面移動検出手段の検出結果を用いて、前記現フィールド信号を１フィールド遅延させた１フィールド遅延信号に対する動き補償を行い、前記１フィールド遅延信号に補間される第１の補間信号を生成する第１の補間信号生成手段と、
前記現フィールド信号または前記２フィールド遅延信号から前記１フィールド遅延信号に補間される第２の補間信号を生成する第２の補間信号生成手段と、
前記動判定補正手段により補正された前記動静判定手段の判定結果に応じて前記第１の補間信号および前記第２の補間信号を混合して混合補間信号を生成する補間信号混合手段とを有する映像表示装置。 
【請求項７】
フィールド内補間により前記１フィールド遅延信号に補間される第３の補間信号を生成する第３の補間信号生成手段と、
前記第１の補間信号と前記第３の補間信号とを混合して動画系混合補間信号を生成する動画系補間信号混合手段とを更に有し、
前記補間信号混合手段は、前記第１の補間信号の代わりに前記動画系補間信号を前記第２の補間信号と混合する請求項６記載の映像表示装置。 
【請求項８】
前記動きベクトルの信頼度を判定する信頼度判定手段と、
前記全画面移動検出手段により前記全画面移動が検出されたときに、前記信頼度判定手段の判定結果を前記信頼度が高くなるように補正する信頼度補正手段とを更に有し、
前記動画系補間信号混合手段は、前記信頼度補正手段により補正された前記信頼度判定手段の判定結果に応じて前記第１の補間信号と前記第３の補間信号とを混合する請求項７記載の映像表示装置。 
【請求項９】
前記混合補間信号と、前記1フィールド遅延信号とを用いて順次走査変換信号を出力する順次走査変換信号出力手段を更に有する請求項６〜８のいずれか一項記載の映像表示装置。
【発明の詳細な説明】
【技術分野】
【０００１】
本発明は、飛越し走査方式の映像信号を順次走査方式の映像信号に変換する順次走査変換装置および順次走査変換方法並びに順次走査変換装置を備えた映像表示装置に関する。
【背景技術】
【０００２】
従来、飛越し走査方式の映像信号を順次走査方式の映像信号に変換する順次走査変換装置では、動画部分での画質劣化を防止するため、画像の動きを検出し、この検出結果に基づき、走査線を補間するための補間信号を生成している。
【０００３】
走査線を補間する方法として動き適応処理がある。この動き適応処理では、画像の動きに適応するため、画像が動いているときは上下の隣接する走査線から補間信号（フィールド内補間信号）を生成する。画像が静止しているときは前後のフィールドの同位置の走査線から補間信号を生成する。
【０００４】
また、動きベクトルの検出を適用して走査線を補間する技術も知られている。この方法では、画像の動きベクトルを検出し、その値に応じて１フィールド前の映像信号を移動させて補間信号（ベクトル補間信号）を生成する。こうした順次走査変換における補間信号の生成技術に関して、例えば、特許文献１に開示されている走査線補間装置が知られている。
【特許文献１】特開２００３−３３９０２７号公報
【発明の開示】
【発明が解決しようとする課題】
【０００５】
ところで、従来の順次走査変換装置では、動きベクトルの精度に応じて、前述の走査線補間装置のように、フィールド内補間信号とベクトル補間信号とを混合して順次走査方式の映像信号を出力している。
【０００６】
しかし、例えば映画のエンドロールの映像のように画面全体が一定の方向に動いている映像の場合、映像全体の動きに指向性が強く、画面全体の動きベクトルが同じ方向を向いていると考えられ、動きベクトルの信頼性も高いと考えられる。このため、このように動きベクトルの信頼性が高い場合は、動き補償による補間信号をより多く用いた方が、より高品位の補間信号が得られるため、前述の走査線補間装置のようにしてフィールド内補間信号とベクトル補間信号とを混合するだけでは、適切な補間信号が得られない。
【０００７】
そこで、本発明は上記課題を解決するためになされたもので、画面全体が一定の方向に動いているときにより適切な補間信号を生成できるようにした順次走査変換装置および順次走査変換方法並びに映像表示装置を提供することを目的とする。
【課題を解決するための手段】
【０００８】
上記課題を解決するため、本発明は、入力映像信号の動きベクトルを検出する動きベクトル検出手段と、前記動きベクトル検出手段により検出された動きベクトルから、画面全体の一定方向への動きを示す全画面移動を検出する全画面移動検出手段と、前記入力映像信号の現フィールド信号および前記現フィールド信号を２フィールド遅延させた２フィールド遅延信号の差分値に基づき、前記入力映像信号について動きの大きさに対応した動静判定を行う動静判定手段と、前記全画面移動検出手段により前記全画面移動が検出されたときに、前記動静判定手段の判定結果を動判定よりに補正する動判定補正手段と、前記動きベクトル検出手段と前記全画面移動検出手段の検出結果を用いて、前記現フィールド信号を１フィールド遅延させた１フィールド遅延信号に対する動き補償を行い、前記１フィールド遅延信号に補間される第１の補間信号を生成する第１の補間信号生成手段と、前記現フィールド信号または前記２フィールド遅延信号から前記１フィールド遅延信号に補間される第２の補間信号を生成する第２の補間信号生成手段と、前記動判定補正手段により補正された前記動静判定手段の判定結果に応じて前記第１の補間信号および前記第２の補間信号を混合して混合補間信号を生成する補間信号混合手段とを有する順次走査変換装置を特徴とする。 
【０００９】
また、本発明は、入力映像信号の動きベクトルを検出する動きベクトル検出を行い、前記動きベクトル検出により検出された動きベクトルから、画面全体の一定方向への動きを示す全画面移動を検出する全画面移動検出を行い、前記入力映像信号の現フィールド信号および前記現フィールド信号を２フィールド遅延させた２フィールド遅延信号の差分値に基づき、前記入力映像信号について動きの大きさに対応した動静判定を行い、前記全画面移動検出により前記全画面移動が検出されたときに、前記動静判定の判定結果を動判定よりに補正する動判定補正を行い、前記動きベクトル検出の検出結果と前記全画面移動検出の検出結果を用いて、前記現フィールド信号を１フィールド遅延させた１フィールド遅延信号に対する動き補償を行い、前記１フィールド遅延信号に補間される第１の補間信号を生成し、前記現フィールド信号または前記２フィールド遅延信号から前記１フィールド遅延信号に補間される第２の補間信号を生成し、前記動判定補正により補正された前記動静判定の判定結果に応じて前記第１の補間信号および前記第２の補間信号を混合して混合補間信号を生成する順次走査変換方法を提供する。 
【００１０】
また、本発明は、順次走査変換信号を出力する順次走査変換手段と、該順次走査変換手段から出力される順次走査変換信号を用いて映像を表示する映像表示手段とを有する映像表示装置であって、前記順次走査変換手段は、入力映像信号の動きベクトルを検出する動きベクトル検出手段と、前記動きベクトル検出手段により検出された動きベクトルから、画面全体の一定方向への動きを示す全画面移動を検出する全画面移動検出手段と、前記入力映像信号の現フィールド信号および前記現フィールド信号を２フィールド遅延させた２フィールド遅延信号の差分値に基づき、前記入力映像信号について動きの大きさに対応した動静判定を行う動静判定手段と、前記全画面移動検出手段により前記全画面移動が検出されたときに、前記動静判定手段の判定結果を動判定よりに補正する動判定補正手段と、前記動きベクトル検出手段と前記全画面移動検出手段の検出結果を用いて、前記現フィールド信号を１フィールド遅延させた１フィールド遅延信号に対する動き補償を行い、前記１フィールド遅延信号に補間される第１の補間信号を生成する第１の補間信号生成手段と、前記現フィールド信号または前記２フィールド遅延信号から前記１フィールド遅延信号に補間される第２の補間信号を生成する第２の補間信号生成手段と、前記動判定補正手段により補正された前記動静判定手段の判定結果に応じて前記第１の補間信号および前記第２の補間信号を混合して混合補間信号を生成する補間信号混合手段とを有する映像表示装置を提供する。
【発明の効果】
【００１１】
以上詳述したように、本発明によれば、画面全体が一定の方向に動いているときにより適切な補間信号を生成できるようにした順次走査変換装置および順次走査変換方法並びに映像表示装置が得られる。
【発明を実施するための最良の形態】
【００１２】
以下、本発明の実施の形態の一例について説明する。なお、同一要素には同一符号を用い、重複する説明は省略する。
【００１３】
図１は、本発明の実施の形態に係る順次走査変換装置２を備えた映像表示装置１の構成を示すブロック図である。図１に示すように、映像表示装置１は順次走査変換装置２と、液晶駆動回路２５と、液晶表示パネル３０とを有している。この映像表示装置１は、順次走査変換装置２が順次走査変換信号Ｐを出力する順次走査変換信号出力手段と、順次走査変換信号Ｐを用いて液晶表示パネル３０に映像を表示させる表示制御手段としての機能を有している。また、液晶駆動回路２５が順次走査変換信号Ｐを用いて液晶表示パネル３０による映像表示に必要な映像信号を生成し、その映像信号を用いて液晶表示パネル３０が映像を表示するようになっている。
【００１４】
順次走査変換装置２には、飛越し走査の入力映像信号である現フィールド信号Ｓ１と、現フィールド信号Ｓ１を１フィールド遅延させた１フィールド遅延信号Ｓ２と、さらに１フィールド遅延させた２フィールド遅延信号Ｓ３とが入力される。
【００１５】
順次走査変換装置２は、動き検出回路３と、動き検出補正回路４と、垂直方向スクロール検出回路５と、動画系補間信号生成回路６と、静画系補間信号生成回路７と、動きベクトル信頼度判定回路８と、動きベクトル信頼度補正回路９と、動き適応補間信号混合回路１０と、ライン整列回路１１とを有している。
【００１６】
動き検出回路３は、動静判定手段の機能を有している。動き検出回路３は、現フィールド信号Ｓ１および２フィールド遅延信号Ｓ３の差分値を求め、その求めた差分値に基づき、入力映像信号について動きの大きさに対応した動静判定を行い、判定結果を示す動静判定データｄ１を出力する。
【００１７】
動き検出補正回路４は垂直方向スクロール検出回路５により、後述の垂直方向スクロールが検出され、垂直方向スクロール検出回路５から後述するスクロール検出信号ｄ２が出力されたときに、動静判定データｄ１を動判定よりに補正する動判定補正手段としての機能を有している。動判定よりに補正するとは、動静判定データｄ１の動きがあることを示すデータの数値を高めるなどして、動きがあることを強調することを意味している。
【００１８】
垂直方向スクロール検出回路５は入力映像信号について、画面全体の垂直方向への移動（垂直方向スクロールともいう）を検出し、そのような移動を検出したときに、スクロール検出信号ｄ２を出力する。垂直方向スクロール検出回路５は、後述する動きベクトル検出回路１５により検出された動きベクトルＶに基づき、画面全体が垂直方向に移動していることを検出すると、スクロール検出信号ｄ２を出力する。なお、垂直方向スクロール検出回路５は垂直方向スクロールを検出するように構成されているが、水平方向の移動や、斜め方向の移動など、画面全体が一定方向に移動していること（全画面移動）を検出するようにすることができる。垂直方向スクロール検出回路５は全画面移動検出手段の機能を有している。
【００１９】
動画系補間信号生成回路６は動画系補間信号Ｖｇを生成する。動画系補間信号生成回路６の構成については後述する。
【００２０】
静画系補間信号生成回路７は、現フィールド信号Ｓ１または２フィールド遅延信号Ｓ３から１フィールド遅延信号Ｓ２に補間される静画系補間信号Ｓｇ（第２の補間信号）を生成する第２の補間信号生成手段としての機能を有している。この静画系補間信号生成回路７では、現フィールド信号Ｓ１および２フィールド遅延信号Ｓ３を入力し、そのそれぞれの同じ位置の走査線を用いて静画系補間信号Ｓｇを生成する。なお、静画系補間信号生成回路７では、画像が静止しているときは、現フィールド信号Ｓ１または２フィールド遅延信号Ｓ３の直接ラインをそのまま使用することもできる。
【００２１】
動きベクトル信頼度判定回路８は、動きベクトルＶの信頼度を判定する信頼度判定手段の機能を有している。この動きベクトル信頼度判定回路８は、動きベクトルＶの方向に沿った判定対象の画素若しくは画素ブロック同士の相関を求め、その求めた相関に基づき動きベクトルの信頼度を判定する。また、動きベクトル信頼度判定回路８は、動きベクトルＶの信頼度を示す信頼度データｄ３を動きベクトル信頼度補正回路９に出力する。相関が高いときは信頼度が高くなり、相関が低くなるにしたがい信頼度は低く判定される。
【００２２】
動きベクトル信頼度補正回路９は、垂直方向スクロール検出回路５により、垂直方向スクロールが検出され、スクロール検出信号ｄ２が出力されたときに、信頼度データｄ３を動きベクトルＶの信頼度が高くなるように補正して、補正信頼度データｄ４を出力する。
【００２３】
動き適応補間信号混合回路１０は補間信号混合手段の機能を有している。動き適応補間信号混合回路１０は、動画系補間信号Ｖｇと静画系補間信号Ｓｇとを動き検出補正回路４により補正された動静判定データｄ１に応じて混合し、混合補間信号Ｃｇを出力する。
【００２４】
ライン整列回路１１は動き適応補間信号混合回路１０が混合した混合補間信号Ｃｇと、直接信号である1フィールド遅延信号Ｓ２とを用いて順次走査変換信号Ｐを生成し、生成した順次走査変換信号Ｐを液晶駆動回路２５に出力する。
【００２５】
そして、動画系補間信号生成回路６は、動きベクトル検出回路１５と、補間信号生成回路１６と、フィールド内補間信号生成回路１７と、動画系補間信号混合回路１８とを有している。
【００２６】
動きベクトル検出回路１５は、現フィールド信号Ｓ１、１フィールド遅延信号Ｓ２および２フィールド遅延信号Ｓ３を用いて動きベクトルＶを検出し、検出した動きベクトルＶを垂直方向スクロール検出回路５と、動きベクトル信頼度判定回路８と、補間信号生成回路１６とに出力する。
【００２７】
補間信号生成回路１６は第１の補間信号生成手段であって、動き補償による補間信号ＳＰ１を生成する。補間信号生成回路１６は、動きベクトル検出回路１５により、現フィールド信号Ｓ１、１フィールド遅延信号Ｓ２および２フィールド遅延信号Ｓ３より検出した動きベクトルＶに応じて１フィールド遅延信号Ｓ２のライン間に対応した動き補償による補間信号（第１の補間信号）ＳＰ１を生成する。この場合、補間信号生成回路１６は垂直方向スクロール検出回路５からスクロール検出信号ｄ２が出力されているときは、垂直方向スクロールが検出されているため、動きベクトルＶをすべて同じ動きベクトルとして扱い、動き補償による補間信号ＳＰ１を生成する。
【００２８】
フィールド内補間信号生成回路１７は、第３の補間信号生成手段であって、フィールド内補間により、１フィールド遅延信号Ｓ２に補間されるフィールド内補間信号（第３の補間信号）ＳＰ３を生成する。この場合、フィールド内補間信号生成回路１７は、上下の隣接する走査線からフィールド内補間信号ＳＰ３を生成する。
【００２９】
動画系補間信号混合回路１８は、動画系補間信号混合手段であって、動き補償による補間信号ＳＰ１とフィールド内補間信号ＳＰ３とを動きベクトル信頼度補正回路９により補正された補正信頼度データｄ４に応じて混合して動画系補間信号Ｖｇを生成して出力する。
【００３０】
次に、順次走査変換装置２の特徴とする動作内容について説明する。順次走査変換装置２に、現フィールド信号Ｓ１、１フィールド遅延信号Ｓ２および２フィールド遅延信号Ｓ３が入力すると、動き検出回路３が動静判定を行い、動静判定データｄ１を出力する。
【００３１】
また、垂直方向スクロール検出回路５が動きベクトルＶから、垂直方向スクロールを検出すると、スクロール検出信号ｄ２を出力する。
【００３２】
ここで、例えば入力映像信号が映画のエンドロールのように、画面全体で一定の方向に動く映像であったとする。このような映像は、画面全体で垂直上向きに動いているため、画像の動きに指向性が強いと考えられる。そのため、垂直方向スクロール検出回路５は、このような特徴を備えた入力映像信号が入力したときにスクロール検出信号ｄ２を出力する。
【００３３】
そして、垂直方向スクロール検出回路５がスクロール検出信号ｄ２を出力すると、動き検出補正回路４が動静判定データｄ１を動判定よりに補正する。また、動きベクトル信頼度補正回路９が信頼度データｄ３を動き補償による補間信号ＳＰ１よりに補正する。
【００３４】
したがって、順次走査変換装置２では、入力映像信号が画面全体で一定の方向に動く場合に、動き適応補間信号混合回路１０が動画系補間信号Ｖｇの混合割合をより高めて混合補間信号Ｃｇを生成でき、垂直方向に画面全体が動いている入力映像信号の特徴を反映したより精度の高い混合補間信号Ｃｇを生成することができる。つまり、最終的には動き補償による補間信号ＳＰ１が混合補間信号Ｃｇに混じりやすくなるため、補間信号ＳＰ１の比率が高まり、それによって画面全体が一定の方向に動いている場合の混合補間信号Ｃｇをより適切なものとして画質の向上を図ることができる。
【００３５】
ここで、順次走査変換信号Ｐの内容について、図２〜図６を参照して説明する。図２は垂直方向スクロールがあるときの、補間信号を補間した後の現フィールド信号Ｓ１、１フィールド遅延信号Ｓ２、および２フィールド遅延信号Ｓ３を模式的に示す図である。（ａ）は２フィールド遅延信号Ｓ３、（ｂ）は１フィールド遅延信号Ｓ２、（ｃ）は現フィールド信号Ｓ１をそれぞれ示している。なお、（ａ）、（ｂ）、（ｃ）において、横方向のライン（Ｒ１〜Ｒ７）は映像信号を示し、斜線の引いてあるラインＲ５、Ｒ６、Ｒ７は補間信号によるライン（補間ライン）を示し、それ以外のラインＲ１〜Ｒ４は直接ラインを示している。
【００３６】
図２では、２本の黒いラインＲ１、Ｒ２と、その間にはさまれた灰色のラインＲ３で描かれる画像が垂直上向きに移動する様子を示している。図２（ｃ）が現フィールド信号Ｓ１、図２（ｂ）が１フィールド遅延信号Ｓ２、図２（ａ）が２フィールド遅延信号Ｓ３を示している。
【００３７】
図３〜図６は図２の映像信号の縦ラインＬ上に位置する画素を示している。図３は理想的な順次走査変換が行われた場合、図４は静画系補間信号生成回路７による静画系補間信号Ｓｇが補間された場合を示している。また、図５はフィールド内補間信号生成回路１７によるフィールド内補間信号ＳＰ３が補間された場合、図６は補間信号生成回路１６による補間信号ＳＰ１が補間された場合を示している。
【００３８】
図３〜図６では、直接信号（現フィールド信号Ｓ１，１フィールド遅延信号Ｓ２または２フィールド遅延信号Ｓ３）の画素を丸印で示し、丸印は図２の映像信号と同じ色（黒、灰色、白のいずれか）で示している。また、図３〜図６では、１フィールド遅延信号Ｓ２についてだけ、補間画素を四角形の印で表示し、現フィールド信号Ｓ１と、２フィールド遅延信号Ｓ３では補間画素を省略している。
【００３９】
図２に示す映像では、ラインＲ１〜Ｒ３で描かれる画像が垂直上向きに移動しているので、その画像の動きを反映した補間信号が補間されることが望ましい。すなわち、図３に示すように、現フィールド信号Ｓ１および２フィールド遅延信号Ｓ３のラインＲ１と同じ色で補間画素ｂ１が生成され、ラインＲ２と同じ色で補間画素ｂ２が生成され、さらにラインＲ３と同じ色で補間画素ｂ３が生成されることが理想的である。こうすると、２フィールド遅延信号Ｓ３が現フィールド信号Ｓ１に変化していく過程の画像が１フィールド遅延信号Ｓ２によって綺麗に表現される。
【００４０】
一方、静画系補間信号生成回路７による静画系補間信号Ｓｇが補間される場合、現フィールド信号Ｓ１と、２フィールド遅延信号Ｓ３との平均をとって補間画素ｂ１、ｂ２、ｂ３が生成される。そのため、図４に示すように、補間画素ｂ２は黒色になるものの、補間画素ｂ１、ｂ３はいずれも薄い灰色になる。
【００４１】
また、フィールド内補間信号生成回路１７によるフィールド内補間信号ＳＰ３はフィールド内補間によって生成される。このとき、フィールド内補間信号ＳＰ３は１フィールド遅延信号Ｓ２の隣接するラインの平均（隣接する上下２ラインの平均でもよい）をとって生成されるので、図５に示すように、補間画素ｂ３は灰色になり、補間画素ｂ１、ｂ２はいずれも薄い灰色になる。
【００４２】
さらに、補間信号生成回路１６による補間信号ＳＰ１が補間される場合、図６のようになる。動きベクトルＶの信頼度が高いときは、現フィールド信号Ｓ１および２フィールド遅延信号Ｓ３からの動き補償により、直接ラインの画素をそのまま使用することができる。そのため、図６に示すように、補間画素ｂ１、ｂ２はそれぞれラインＲ１、Ｒ２の画素と同じ黒色になり、補間画素ｂ３はラインＲ３と同じ灰色で生成される。したがって、補間画素ｂ１、ｂ２、ｂ３は図３の場合と同様の色で生成されるので、理想的な補間信号が生成されることになり、図４や図５の場合に比べて、より精度の高い補間信号を生成することが可能である。
【００４３】
このように、動きベクトルＶの信頼度が高いときは、動画系補間信号混合回路１８が動き補償による補間信号ＳＰ１の割合をフィールド内補間信号ＳＰ３よりも増やして両者を混合することが好ましい。こうすることにより、動画系補間信号Ｖｇは動き補償による補間信号ＳＰ１を強く反映したものとなり、そうすると、前述のとおり、全画面移動がある場合の画質を向上させることができるからである。
【００４４】
また、垂直方向スクロールが検出されたときは、画面全体が垂直方向に動いているため、動きベクトルＶの信頼度が高いと考えられる。そのため、順次走査変換装置２では、スクロール検出信号ｄ２が出力されたときに動きベクトル信頼度補正回路９が信頼度を高めた補正信頼度データｄ４を出力し、その補正信頼度データｄ４を受けて動画系補間信号混合回路１８が動き補償による補間信号ＳＰ１の混合割合を高めて動画系混合補間信号Ｖｇを生成する。さらに、補間信号生成回路１６は、動きベクトルＶをすべて同じ動きベクトルとして扱い、動き補償による補間信号ＳＰ１を生成する。こうすると、動画系補間信号Ｖｇにおける動き補償による補間信号ＳＰ１の割合を高めることができるので、動き補償による補間信号ＳＰ１がより一層、混合補間信号Ｃｇに混じりやすくなる。
【００４５】
しかしながら、動きベクトルＶの精度が高い場合ばかりではない。そのため、動画系補間信号生成回路６は、動き補償による補間信号ＳＰ１とフィールド内補間信号ＳＰ３とを混合しておき、垂直方向スクロールが検出されたときは、動き補償による補間信号ＳＰ１がフィールド内補間信号ＳＰ３よりも優先されるようにして、動画系補間信号混合回路１８が補間信号の混合割合を変更している。
【００４６】
このように、順次走査変換装置２では、垂直方向スクロールが検出される場合など、画面全体が一定の方向に動いているときにより適切な混合補間信号Ｃｇを生成することができる。そのため、順次走査変換装置２を用いることにより、きれいな映像を液晶表示パネル３０に表示することが可能となる。
【００４７】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００４８】
【図１】本発明の実施の形態に係る順次走査変換装置を備えた映像表示装置の構成を示すブロック図である。
【図２】垂直方向スクロールがあるときの補間信号を補間した後の信号を示す図で、（ａ）は２フィールド遅延信号、（ｂ）は１フィールド遅延信号、（ｃ）は現フィールド信号をそれぞれ示している。
【図３】理想的な順次走査変換が行われた場合の２フィールド遅延信号、１フィールド遅延信号および現フィールド信号を示す図である。
【図４】静画系補間信号生成回路による補間信号が補間された場合の２フィールド遅延信号、１フィールド遅延信号および現フィールド信号を示す図である。
【図５】フィールド内補間信号生成回路による補間信号が補間された場合の２フィールド遅延信号、１フィールド遅延信号および現フィールド信号を示す図である。
【図６】補間信号生成回路による補間信号が補間された場合の２フィールド遅延信号、１フィールド遅延信号および現フィールド信号を示す図である。
【符号の説明】
【００４９】
１…映像表示装置、２…順次走査変換装置、３…動き検出回路、４…動き検出補正回路、５…垂直方向スクロール検出回路、６…動画系補間信号生成回路、７…静画系補間信号生成回路、８…動きベクトル信頼度判定回路、９…動きベクトル信頼度補正回路、１０…動き適応補間信号混合回路、１１…ライン整列回路、１５…動きベクトル検出回路、１６…補間信号生成回路、１７…フィールド内補間信号生成回路、１８…動画系補間信号混合回路、３０…液晶表示パネル。
【図１】
0004331234.tif 000002
【図２】
0004331234.tif 000003
【図３】
0004331234.tif 000004
【図４】
0004331234.tif 000005
【図５】
0004331234.tif 000006
【図６】
0004331234.tif 000007